(57)【特許請求の範囲】
【請求項１】
内筒と、前記内筒に被される筒状の灯しんと、前記灯しんの外周に取り付けられて、火力調節のために前記灯しんを上下させるため、前記灯しんの中程の高さの位置に取り付けられるしん押さえと、前記灯しんの外周を囲む外筒と、を備えており、前記灯しんの外周面と前記外筒内面との間に所望値の間隙を形成することによって、必要量のドラフト空気が灯しんの燃焼部分に供給される構成を有している石油ストーブの灯しんであって、
前記灯しんの厚みは、前記所望値の間隙を形成する厚みよりも薄く、その外周面には、前記外筒内面との間に前記所望値の間隙を形成する厚みを有する繊維製の帯状部材が巻き付けられていることを特徴とする石油ストーブの灯しん。
【請求項２】
前記灯しんは、ガラス繊維製の筒状の耐熱部と、この耐熱部の下部に縫い付けられている繊維製の筒状の吸上部とを備え、前記帯状部材は、前記吸上部の前記しん押さえにより覆われる部分の上端または下端の近傍の位置に取り付けられていることを特徴とする請求項１に記載の石油ストーブの灯しん。
【発明の詳細な説明】
【技術分野】
【０００１】
本発明は、石油ストーブの灯しんに関する。
【背景技術】
【０００２】
一般の石油ストーブは、灯しんを上下させるしん案内部分を有している。例えば図４（ａ）に示すように、しん案内部分は、上部に天板１４ａを有している内筒１４と、内筒１４に上下動可能に被せられた灯しん２１と、外筒１６と、を備えている。
【０００３】
灯しん２１は、耐熱部２２と、耐熱部２２の下端に縫い付けられ、灯油を耐熱部２２にまで吸い上げる吸上部２３と、で構成される。耐熱部２２は、例えば、ガラス繊維の束（例えば直径０．０１ｍｍ）を例えば７〜８本撚り集めた撚り糸(例えば直径０．１ｍｍ）を編み立てた構成を有している。灯油は、吸上部の毛細管現象により灯しんの先端にまで吸い上げられる。吸上部２３は、灯油を吸うことにより厚みＬ０になる綿糸又は厚みのある不織布で作られていた(特許文献１の図１を参照）。
【先行技術文献】
【特許文献】
【０００４】
【特許文献１】特開２００５−１４０４５５号公報
【発明の概要】
【発明が解決しようとする課題】
【０００５】
灯しん２１の先端には、灯しん２１の外周面及び外筒１６の内面との間にできる間隙を（矢印の向き、向上向きに）通って燃焼用のドラフト空気が供給される。各石油ストーブは、専用の灯しんを取り付けた際に、必要量以上のドラフト空気が供給されないように、灯しんと外筒との間隙が決められている（図４（ａ）を参照）。
【０００６】
灯しんの吸上部は、綿糸の代わりに、不織布を用いるものが一般化してきている。更には、コスト削減目的で、不織布はより薄い（厚みＬ１（＜Ｌ０））ものが使用され始めている（図４（ｂ）を参照）。
【０００７】
一方で、灯しんの歴史は古く、例えば図４（ａ）に示すように、吸上部に綿糸又は厚みのある不織布を用いるもの、更には、それ以前に用いられていた全体が綿糸でできている綿しんを用いるもの、が数多く使用されている。
【０００８】
これらの種々の石油ストーブでは、間隙は使用する灯しんの厚みにより決まる。例えば、図４（ｂ）に示すように、現行製品用に製造している比較的薄手の厚みＬ１の灯しんを用いた場合を考える。この場合、間隙が空き過ぎて、上向きの矢印で示す灯しんの先端へ供給されるドラフト空気量が過多となり、立炎が生じる。(燃焼筒より炎が立ち上る現象。)
【０００９】
これらの石油ストーブに、灯しんを供給しようとすると、灯しんの内径だけでなく、使用時の厚みまでも考慮に入れて作る必要があり、コスト低減のための部品の共通化が難しいといった課題がある。例えば、不織布は灯油を吸ってもリブ編みされている綿糸のように膨張しない。従来リブ編みされている綿糸を使用していた吸上部に、薄手の不織布を用いると、前述のように間隔が空き過ぎるため、厚みのある不織布でできた吸上部も用意する必要があった。
【００１０】
本発明は、上記課題を解決するものであり、従来の石油ストーブにおいて、薄い灯しんを部品として用いても、灯しんの外周面と外筒内面との間の間隙が広く空き過ぎてしまうことがなくなり、適正なドラフト空気を供給することができる灯しんを提供することを目的とする。
【課題を解決するための手段】
【００１１】
上記課題を解決するため、本発明の石油ストーブの灯しんは、内筒と、前記内筒に被される筒状の灯しんと、前記灯しんの外周に取り付けられて、火力調節のために前記灯しんを上下させるため、前記灯しんの中程の高さの位置に取り付けられるしん押さえと、前記灯しんの外周を囲む外筒と、を備えており、前記灯しんの外周面と前記外筒内面との間に所望値の間隙を形成することによって、必要量のドラフト空気が灯しんの燃焼部分に供給される構成を有している石油ストーブの灯しんであって、前記灯しんの厚みは、前記所望値の間隙を形成する厚みよりも薄く、その外周面には、前記外筒内面との間に前記所望値の間隙を形成する厚みを有する繊維製の帯状部材が巻き付けられていることを特徴とする。
【００１２】
また、前記灯しんは、ガラス繊維製の筒状の耐熱部と、この耐熱部の下部に縫い付けられている繊維製の筒状の吸上部とを備え、前記帯状部材は、前記吸上部の前記しん押さえにより覆われる部分の上端または下端の近傍の位置に縫い付けられていることが、好ましい。
【発明の効果】
【００１３】
本発明によれば、灯しんの外周面に帯状部材を巻き付けたことにより、灯しんの厚みが薄くても、必要量のドラフト空気を灯しんの燃焼部分に送るのに必要な所望値の間隙が形成される。これにより、厚みのある灯しん用に設計されている旧式または他の機種の石油ストーブの灯しんを、比較的薄い灯しんを共通部品として使用し、これに帯状部材を追加するだけで製造することができる。
【図面の簡単な説明】
【００１４】
【図１】（ａ）は本発明の一実施の形態に係る石油ストーブの斜視図、（ｂ）は同ストーブの灯しんを上下させて火力調節を行うためのしん案内部分の分解斜視図。
【図２】同石油ストーブで用いる灯しんの斜視図。
【図３】同灯しんを用いた場合のドラフト空気及び炎の様子を示す概略断面図。
【図４】（ａ）は従来の石油ストーブに旧式の灯しんを用いた場合のドラフト空気及び炎の様子を示す概略断面図、（ｂ）は従来の石油ストーブに現在主に使用している薄い灯しんを用いた場合のドラフト空気及び炎の様子を示す概略断面図。
【発明を実施するための形態】
【００１５】
本発明の灯しんは、灯しんの外周面と外筒内面との間が、薄い灯しんを用いる石油ストーブに比べて広く開いている石油ストーブの灯しんである。本発明の灯しんは、薄い灯しんの外周面に、該外周面と外筒内面との間隔を所望値に設定する厚みの帯状部材を巻き付けて取り付けた、極めて簡単な構成であることを特徴とする。この極めて簡単な構成により、薄い灯しんを使用して、より厚みのある灯しん用に設計されている旧式又は他の種類の石油ストーブの灯しんを提供できる。
【００１６】
本発明の一実施の形態に係る灯しんを用いる石油ストーブについて説明する。図１（ａ）（ｂ）において、石油ストーブ１０は、台１１上に灯しんを上下させるしん案内部分１２を備えている。しん案内部分１２は、火力調節のために灯しんを上下させるつまみ１３と、内筒１４と、内筒１４に被される筒状の灯しん１と、しん押さえ１５と、灯しん１の外周を囲む外筒１６と、を備えている。内筒１４の上部には天板１４ａが設けられている。しん押さえ１５は、つまみ１３の回転に連動して灯しん１を上下させる連結部１５ａを有しており、灯しん１の外周面１ａに、灯しん１の上端と下端との間の中程の高さに取り付けられる（図２を参照）。外筒１６は、しん押さえ１５の取り付けられている灯しん１の外周を所定の間隙を保ちながら囲む。外筒１６の上には、案内筒リング１７を介して、燃焼筒１８が載置される。使用時、灯しん１の外周面１ａと外筒１６の内面１６ａとの間には、灯しん１の上端の燃焼部分へドラフト空気を供給するための間隙が形成される。なお、図１（ｂ）は灯しん１が取り付けて用いられる部分の構成を示す概略図であり、シール等の他の周知の部品の説明は省略する。
【００１７】
図２に示すように、灯しん１は、ガラス繊維製の筒状の耐熱部３と、この耐熱部３の下部に縫い付けられている繊維製の筒状の吸上部４とを備えている。耐熱部３は、ガラス繊維の束（例えば直径０．０１ｍｍ）を例えば７〜８本撚り集めた撚り糸(例えば直径０．１ｍｍ）を編み立てた構成を有している。吸上部４は、例えば化学繊維製の不織布で作られており、その下半分には、縦の切込み４ａが入れられている。灯油は、吸上部４の毛細管現象により灯しん１の先端にまで吸い上げられる。
【００１８】
しん押さえ１５は、図２に点線で示すように、灯しん１の上端と下端との間の中ほどの高さ、詳しくは、耐熱部３の下端より下側で、吸上部４の切込み４ａの入れられていない上半分の位置に取り付けられる。しん押さえ１５の下端近傍の位置には、所望の厚みを有する帯状部材２が巻き付けた状態で縫い付けられている。帯状部材２は、外筒１６との間隙を一定に保つため、灯油を吸ってもその厚みＬ２（図３を参照）の変化が少ない繊維製のもの、例えば、所望の厚みＬ２の断面矩形状の化学繊維製の不織布で作られている。
【００１９】
図３には、灯しん１と外筒１６との間に形成される間隙の内、理解の容易のため連結部１５ａ以外の部分にできる間隙の様子を示している。本図より理解されるように、灯しん１の厚みＬ１にしん押さえ１５の厚みを加えた厚みは、所望値の間隙Ｄを形成する厚みＬ０よりも薄い。しかし、厚みＬ２の帯状部材２を取り付けた個所の灯しん全体の厚みＬ０は、所望値の間隙Ｄを形成する厚みとなる。この帯状部材２により、上向きの矢印で示す灯しん１の上端への過剰なドラフト空気の供給が抑えられ、結果、必要量の適正なドラフト空気が供給されて完全燃焼した炎が得られる。
【００２０】
なお、本発明は、上記実施形態の構成に限られず、発明の趣旨を変更しない範囲で種々の変形が可能である。例えば、帯状部材２は、吸上部４のしん押さえ１５により覆われる上端近傍の位置に巻き付けた状態で縫い付けてもよい。
【００２１】
また、帯状部材２の材料には、不織布以外のもの、例えば、灯油に触れても不織布よりも膨張する量の少ない、より硬質で、灯油に対して不溶性のプラスティック樹脂または金属を用いてもよい。これらの材料は、不織布に比べて経年劣化が少なく、そのほかの部分が取り換え時期になるまでの長期にわたって安定したドラフト空気の供給が確保でき、結果として灯しんの製品寿命を延ばすことができる。さらには、帯状部材２の断面形状を、中空の矩形にしたり、より上下幅の狭いフランジ状にすることにより、使用する材料を少なくしてもよい。
【産業上の利用可能性】
【００２２】
本発明の灯しんは、外筒との間に所望の間隙を形成して、必要量のドラフト空気を得るタイプの灯しんを用いる石油ストーブの内、前記所望の間隙が帯状部材を用いて形成可能な石油ストーブに用いることができる。
【符号の説明】
【００２３】
１        灯しん
１ａ      灯しんの外周面
２        帯状部材
３        耐熱部
４        吸上部
１０      石油ストーブ
１２      火力調節機構
１４      内筒
１５      しん押さえ
１６      外筒
１６ａ    外筒内面
Ｄ        所望値の間隙
Ｌ２      所望値の間隙を形成する厚み
【図１】
0006053635.tif 000002
【図２】
0006053635.tif 000003
【図３】
0006053635.tif 000004
【図４】
0006053635.tif 000005